(57)【要約】【課題】狭小な空間であっても効率的に収納空間及び昇降手段を確保することができる収納構造を得る。【解決手段】居間１２における室高さ方向上方側かつ側方側には、居間１２と空間的に連続したロフト４６が設けられている。ロフト４６の直下には、居間１２と区画された収納体５２が配設されている。収納体５２における居間１２との区画面６２には、居間１２及びロフト４６間の昇降を可能とする複数段の踏桟（取っ手６４）を含んで構成されると共に、当該踏桟が当該区画面６２の開閉手段を兼ねた梯子６６が設置されている。【選択図】図２
2020112007.tif 000002
【特許請求の範囲】
【請求項１】
特定の室における室高さ方向上方側かつ側方側に設けられると共に、当該室と空間的に連続した第１の収納室と、
前記第１の収納室の直下に設けられると共に、当該室と区画された第２の収納室と、
前記第２の収納室における前記室との区画面に設けられ、当該室及び当該第１の収納室間の昇降を可能としかつ複数段の踏桟を含んで構成されると共に、当該踏桟が当該区画面の開閉手段を兼ねた梯子と、
を有する収納構造。
【請求項２】
前記区画面が閉止された状態において、前記梯子の踏桟に鉛直下方側への荷重が作用することにより、当該踏桟を取っ手とした前記区画面の開放が禁止されるロック手段を更に有する、
請求項１に記載の収納構造。
【請求項３】
前記第２の収納室は、
外郭を構成すると共に室高さ方向に複数の収納スペースを備え、前記区画面側に当該収納スペースの開口部が配置された本体部と、
前記本体部に前記開口部から出し入れされ、各々の前面が前記区画面の一部を構成すると共に各前面に前記梯子の踏桟を構成する取っ手が設けられた複数段の引出しと、
を含む収納体として構成されており、
前記ロック手段は、
前記引出しの両側部に一体又は一体的に設けられた摺動部材と、
前記本体部側に設けられると共に当該摺動部材の下面を支持し、かつ当該引出しの閉止状態で前記取っ手に鉛直下方側への荷重が作用することにより、荷重作用方向に変位した当該摺動部材が係合され当該引出しの引出し方向への移動を阻止する被係合部を備えたガイド部材と、
を含んで構成されている、
請求項２に記載の収納構造。
【請求項４】
前記第２の収納室は、
外郭を構成すると共に室高さ方向に複数の収納スペースを備え、前記区画面側に当該収納スペースの開口部が配置された本体部と、
前記開口部に対応して開閉可能に設けられ、各々前記区画面の一部を構成すると共に、前面に前記梯子の踏桟を構成する取っ手が突出した状態で設けられた複数の扉部材と、
を含んで構成されており、
前記ロック手段は、
各前記扉部材の下端部及び前記本体部における当該下端部との対向部位のいずれか一方に設けられた係合部と、
各前記扉部材の下端部及び前記本体部における当該下端部との対向部位のいずれか他方に設けられると共に、当該扉部材の閉止状態で前記取っ手に鉛直下方側への荷重が作用することにより、荷重作用方向に相対的に変位して当該係合部に係合される被係合部と、
を含んで構成されている、
請求項２に記載の収納構造。
【請求項５】
前記第２の収納室は、
外郭を構成すると共に内部に収納スペースを備え、前記区画面側に当該収納スペースの開口部が配置された本体部と、
前記区画面を構成すると共に前記本体部の開口部を開閉し、かつ前面に前記梯子の踏桟を構成する複数の取っ手が突出した状態で設けられた折れ戸と、
を含んで構成されており、
前記折れ戸の通常の開閉時には当該折れ戸の開閉動作を阻害せず、前記折れ戸の閉止状態において隣合う前面に拘束部材が閂状に架け渡して装着されることにより、当該折れ戸の開放を禁止して当該踏桟を取っ手とした昇降を可能とするロック手段を更に有する、
請求項１に記載の収納構造。
【発明の詳細な説明】
【技術分野】
【０００１】
本発明は、収納構造に関する。
【背景技術】
【０００２】
従来、屋内上部の未使用空間を収納部や小部屋といったロフト空間として使用する場合に、屋内下部に設置された階段状収容棚をロフト空間への昇降手段として使用する収納構造が知られている。
【０００３】
下記特許文献１には、下階の床の床高さから上階の床の床高さに亘って積み重ねられ、かつ両側面を室内の壁面によってスライド可能に支持される直方体状の複数段の収容箱からなる収容棚兼用階段が開示されている。昇降時には、収容箱を階段状に位置決めし、上面板を踏み板とする相当の巾の階段として使用するため、ロフト空間へ安定してスムーズに出入りすることが可能となる。また、通常時には、各収容箱を垂直に積み重ね収容棚として使用するため、小さな設置面積に納めることができる。
【先行技術文献】
【特許文献】
【０００４】
【特許文献１】特開２００２−２９４９６０号公報
【発明の概要】
【発明が解決しようとする課題】
【０００５】
しかしながら、上記特許文献１に記載の収納構造は、ロフト空間への昇降手段として階段状の収納構造を採用しているため、居室面積が限られており、収容箱（収納箱）を引き出せるスペースが確保できない場合には適用できないという問題があった。
【０００６】
本発明は上記事実を考慮し、狭小な空間であっても効率的に収納空間及び昇降手段を確保することができる収納構造を得ることが目的である。
【課題を解決するための手段】
【０００７】
第１の態様に係る収納構造は、特定の室における室高さ方向上方側かつ側方に設けられると共に、当該室と空間的に連続した第１の収納室と、前記第１の収納室の直下に設けられると共に、当該室と区画された第２の収納室と、前記第２の収納室における前記室との区画面に設けられ、当該室及び当該第１の収納室間の昇降を可能としかつ複数段の踏桟を含んで構成されると共に、当該踏桟が当該区画面の開閉手段を兼ねた梯子と、を有している。
【０００８】
第１の態様に係る収納構造によれば、特定の室における室高さ方向上方側かつ側方には、室と空間的に連続した第１の収納室が設けられる。また、第１の収納室の直下には、室と区画された第２の収納室が設けられる。このように第１の収納室と第２の収納室の両方を備えているので、充分な収納空間が確保される。
【０００９】
また、この第２の収納室における室との区画面には、複数段の踏桟を含んで構成された梯子が設けられているため、区画面に梯子を掛けたのと同様の機能が付与される。このため、この梯子を昇降することにより、室と第１の収納室とを行き来することができる。このように本態様は、区画面に梯子を設ける構成であるため、階段を設置する先行技術と比べて、昇降手段の設置スペースが削減される。
【００１０】
なお、上記梯子の踏桟は区画面の開閉手段を兼ねるため、第２の収納室の区画面を開閉させる際には、踏桟を開閉手段として開閉させればよい。
【００１１】
第２の態様に係る収納構造は、第１の態様において、前記区画面が閉止された状態において、前記梯子の踏桟に鉛直下方側への荷重が作用することにより、当該踏桟を取っ手とした前記区画面の開放が禁止されるロック手段を更に有している。
【００１２】
第２の態様に係る収納構造によれば、区画面が閉止された状態において、梯子の踏桟に鉛直下方側への荷重が作用すると、ロック手段によって踏桟を取っ手とした区画面の開放が禁止される。このため、梯子を使って昇降する際に第２の収納室の区画面が予期せずして開放されるといった事態は生じない。
【００１３】
第３の態様に係る収納構造は、第２の態様において、前記第２の収納室は、外郭を構成すると共に室高さ方向に複数の収納スペースを備え、前記区画面側に当該収納スペースの開口部が配置された本体部と、前記本体部に前記開口部から出し入れされ、各々の前面が前記区画面の一部を構成すると共に各前面に前記梯子の踏桟を構成する取っ手が設けられた複数段の引出しと、を含む収納体として構成されており、前記ロック手段は、前記引出しの両側部に一体又は一体的に設けられた摺動部材と、前記本体部側に設けられると共に当該摺動部材の下面を支持し、かつ当該引出しの閉止状態で前記取っ手に鉛直下方側への荷重が作用することにより、荷重作用方向に変位した当該摺動部材が係合され当該引出しの引出し方向への移動を阻止する被係合部を備えたガイド部材と、を含んで構成されている。
【００１４】
第３の態様に係る収納構造によれば、第２の収納室は、複数の引出しとこれらを収容する本体部とを含む収納体として構成される。この収納体が備える各引出しの前面には取っ手が設けられており、引出しを引き出す際には、取っ手を掴んで引出しを引き出せばよい。引き出しを本体部の収納スペースの開口部から引き出すと、引出しの両側部に一体又は一体的に設けられた摺動部材が、本体部内に設けられたガイド部材上を摺動するため、引出しの移動が円滑に行われる。
【００１５】
一方、室と第１の収納室とを行き来する際には、各引出しを閉止状態にしてから、引出しの前面に設けられた取っ手を使って昇降すればよい。このとき、本態様では、取っ手に鉛直下方側への荷重が作用することにより、その重みが引出し全体に作用し、引出しを僅かに傾かせる。これに伴い、摺動部材も荷重作用方向に変位し、ガイド部材が備える被係合部に係合される。これにより、引出しの引出し方向への移動が阻止される。
【００１６】
第４の態様に係る収納構造は、第２の態様において、前記第２の収納室は、外郭を構成すると共に室高さ方向に複数の収納スペースを備え、前記区画面側に当該収納スペースの開口部が配置された本体部と、前記複数の収納スペースに対応して開閉可能に設けられ、各々前記区画面の一部を構成すると共に、前面に前記梯子の踏桟を構成する取っ手が突出した状態で設けられた複数の扉部材と、を含んで構成されており、前記ロック手段は、各前記扉部材の下端部及び前記本体部における当該下端部との対向部位のいずれか一方に設けられた係合部と、各前記扉部材の下端部及び前記本体部における当該下端部との対向部位のいずれか他方に設けられると共に、当該扉部材の閉止状態で前記取っ手に鉛直下方側への荷重が作用することにより、荷重作用方向に相対的に変位して当該係合部に係合される被係合部と、を含んで構成されている。
【００１７】
第４の態様に係る収納構造によれば、第２の収納室は、外郭を構成すると共に室高さ方向に複数の収納スペースを備え、区画面側に当該収納スペースの開口部が配置された本体部と、複数の収納スペースの開口部に対応して開閉可能に設けられ、区画面の一部を構成する扉部材とを含んで構成される。扉部材の前面には、梯子の踏桟を構成する取っ手が突出した状態で設けられており、本体部に収納された物を取り出す際には、取っ手を掴んで扉部材を開放させればよい。
【００１８】
一方、室と第１の収納室とを行き来する際には、扉部材を閉止状態にしてから、扉部材の前面に設けられた取っ手を使って昇降すればよい。このとき、本態様では、取っ手に鉛直下方側への荷重が作用することにより、その重みが扉部材に作用し、扉部材を僅かに鉛直下方側へ変位させる。これに伴い、被係合部が係合部に相対的に変位して係合される。これにより、扉部材の開放方向への移動が阻止される。
【００１９】
第５の態様に係る収納構造は、第１の態様において、前記第２の収納室は、外郭を構成すると共に内部に収納スペースを備え、前記区画面側に当該収納スペースの開口部が配置された本体部と、前記区画面を構成すると共に前記本体部の開口部を開閉し、かつ前面に前記梯子の踏桟を構成する複数の取っ手が突出した状態で設けられた折れ戸と、を含んで構成されており、前記折れ戸の通常の開閉時には当該折れ戸の開閉動作を阻害せず、前記折れ戸の閉止状態において隣合う前面に拘束部材が閂状に架け渡して装着されることにより、当該折れ戸の開放を禁止して当該踏桟を取っ手とした昇降を可能とするロック手段を更に有する。
【００２０】
第５の態様に係る収納構造によれば、第２の収納室は、外郭を構成すると共に区画面側に開口部が配置された本体部と、区画面を構成すると共に本体部の開口部を開閉する折れ戸とを含んで構成される。折れ戸の前面には、梯子の踏桟を構成する取っ手が突出した状態で設けられており、本体部に収納された物を取り出す際には、取っ手を掴んで折れ戸を一方向に引いて開放させればよい。このときにはロック手段は、折れ戸の開閉動作を阻害しないので、折れ戸の開閉動作は円滑に行われる。
【００２１】
一方、室と第１の収納室とを行き来する際には、折れ戸を閉止状態にしてから、更に隣合う前面にロック手段の拘束部材が閂状に架け渡されて装着される。これにより、折れ戸の開放動作が禁止される。この状態にしてから折れ戸の前面に設けられた取っ手を使って昇降すればよい。このとき、取っ手には鉛直下方側への荷重が作用するが、ロック手段の拘束部材が閂状に折れ戸の隣合う前面に架け渡されているので、取っ手に加わる重みで折れ戸が予期せずして開放されるといった事態は生じない。
【発明の効果】
【００２２】
以上説明したように、第１の態様に係る収納構造は、狭小な空間であっても効率的に収納空間及び昇降手段を確保することができるという優れた効果を有する。
【００２３】
第２の態様に係る収納構造は、上記効果に加え、梯子を使って室及び第１の収納室間を安全に昇降することができるという優れた効果を有する。
【００２４】
第３の態様に係る収納構造は、第２の収納室を衣類などを畳んで収納する整理箪笥として利用することができると共に、梯子の昇降時の安全性を担保することができるという優れた効果を有する。
【００２５】
第４の態様に係る収納構造は、第２の収納室を帽子やシューズなどをそのまま入れて収納する収納ラックとして利用することができると共に、梯子の昇降時の安全性を担保することができるという優れた効果を有する。
【００２６】
第５の態様に係る収納構造は、第２の収納室をウォークインクローゼットなどとして利用することができると共に、梯子の昇降時の安全性を担保することができるという優れた効果を有する。
【図面の簡単な説明】
【００２７】
【図１】第１実施形態に係る収納構造が適用された住戸の平面図（間取り図）である。
【図２】図１に示される住戸内の様子を居室側からロフト側を見て示す立面図である。
【図３】図２に示される収納体の引出しを閉めたときのロック機構の位置関係を示す要部拡大斜視図である。
【図４】図３に示される状態から引出しを引き出したときのロック機構の位置関係を示す図３に対応する要部拡大斜視図である。
【図５】図３に示される状態において引出しの取っ手を梯子の踏桟として使用したときのロック機構の位置関係を示す図３に対応する要部拡大斜視図である。
【図６】図１の６−６線に沿って切断した状態を示す収納体の縦断面図である。
【図７】（Ａ）は第２実施形態に係る収納構造をフラップ扉の閉止状態で示す概略斜視図であり、（Ｂ）はフラップ扉の開放状態、（Ｃ）はフラップ扉の収納状態でそれぞれ示す概略斜視図である。
【図８】図７に示される収納構造を８−８線に沿って切断した状態で示す収納ラックのロック機構の縦断面図である。
【図９】（Ａ）は第３実施形態に係る収納構造を折れ戸の開放状態で示す概略斜視図であり、（Ｂ）は当該収納構造を折れ戸の閉止状態としかつ梯子の使用状態で示す概略斜視図である。
【図１０】（Ａ）は第４実施形態に係る収納構造を開き扉の開放状態で示す概略斜視図であり、（Ｂ）は開き扉の閉止状態で示す概略斜視図である。
【図１１】図１０（Ｂ）に示される収納構造を１１−１１線に沿って切断した状態で示すロック機構の縦断面図である。
【発明を実施するための形態】
【００２８】
＜第１実施形態＞
以下、図１〜図５を用いて、本発明に係る収納構造の第１実施形態について説明する。
【００２９】
（住戸の全体構成）
まず、住戸の全体構成について説明する。図１には、第１実施形態に係る収納構造が適用された住戸１０の平面図が示されている。また、図２には、当該住戸１０に適用された収納構造を居間（リビング）１２側から見た立面図が示されている。
【００３０】
これらの図に示されるように、住戸１０は、複数の住戸１０からなる集合住宅（建物）の１戸として構成されており、住戸１０と同一の又は異なる間取りを有する住戸が連設されることにより、１つの集合住宅が形成されている。図１に示されるように、住戸１０は、その中でも比較的狭小な１Ｋタイプの略直方体形状の住戸とされている。隣合う住戸１０は左右一対の境界壁１４Ａ、１４Ｂによって区分されており、住戸１０は左右一対の境界壁１４Ａ、１４Ｂと前後一対の正面壁１４Ｃ及び背面壁１４Ｄとによって区画されている。
【００３１】
上述した住戸１０は、奥行き方向手前側に配置された第１エリア１６と、奥行方向奥側に配置された第２エリア１８と、によって構成されている。第１エリア１６及び第２エリア１８は、平面視で矩形状に形成（区画）されている。
【００３２】
第１エリア１６の間取りは種々採り得るので、図１に示される間取りはあくまでも一例に過ぎない。図１に示される間取りについて簡単に説明すると、第１エリア１６の奥行き方向手前側の中央部には、玄関ドア２０Ａ及び三和土２０Ｂを含んで構成された玄関２０が設けられている。また、玄関２０の側方（境界壁１４Ａ側）には、配管スペース２２が設置されている。
【００３３】
上記玄関２０の奥側には、第１エリア１６の半分以上のスペースを占めるキッチン２４が配置されている。キッチン２４の側方（境界壁１４Ａ側）には、シンク２６Ａや電磁誘導加熱式調理器２６Ｂ等を含むシステムキッチン２６が設置されている。一方、キッチン２４の反対側の側方（境界壁１４Ｂ側）には、ユニットバス２８Ａ及び脱衣所２８Ｂを含んで構成された浴室２８とトイレ３０が奥行方向にこの順に配設されている。
【００３４】
上述した第１エリア１６の奥側には、平面視で縦壁と横壁が交互に直交する略「凸」字状に形成された間仕切り壁３２が設置されている。この間仕切り壁３２が設置されたことにより、第１エリア１６の奥側には、平面視で凸状スペースとされた第１スペース３４と、この第１スペース３４の両側に隣接して配置されかつ各々平面視で凹状スペースとされた第２スペース３６及び第３スペース３８と、が形成されている。このうち、第１スペース３４はキッチン２４の一部として使用されており、第１スペース３４の奥側に配置された横壁には、居間１２に通ずるドア４０が設けられている。
【００３５】
（収納構造）
図１及び図２に示されるように、上述した第１エリア１６は、その全体が建物上下方向に二層構造とされている。具体的には、住戸１０の天井面４２から１４００ｍｍ未満の高さ位置にロフト床４４が設置されており、このロフト床４４がキッチン２４等のエリアの天井としても用いられている。このロフト床４４から天井面４２までのスペースは居間１２と空間的に連続されており、「第１の収納室」としてのロフト４６とされている。ロフト４６を居間１２側から見ると、居間１２の建物上方側かつ側方側（奥行方向手前側）にロフト４６が設けられている。また、第１エリア１６の室内高さの比でみると、一例として、ロフト４６は第１エリア１６の室内高さの１／４程度とされ、キッチン２４等は室内高さの３／４程度とされている。
【００３６】
上述したロフト４６における居間１２と隣接する側の直下には、収納スペースが設けられている。具体的には、ロフト４６における居間１２と隣接する側の直下には、前述した間仕切り壁３２に沿って第１スペース３４、第２スペース３６及び第３スペース３８が配置されている。このうち、第１スペース３４は前述したようにキッチン２４の一部として利用されるが、第２スペース３６及び第３スペース３８は、収納スペースとして用いられる。
【００３７】
まず、第２スペース３６には、居間１２との境に三枚の収納扉４８が取り付けられており、内部にはハンガー形式の収納が可能とされたクローゼット５０とされている。クローゼット５０は、ウォークインクローゼットであってもよいし、そうでなくてもよい。
【００３８】
一方、第３スペース３８には、「第２の収納室」としての収納体５２が設置されている。収納体５２は、その外郭を構成する箱状の本体部５４と、この本体部５４内に収容された複数段の引出し５６と、を含んで構成されている。
【００３９】
図２に示されるように、本体部５４は、引出し５６が設けられる面を居間１２側へ向けて設置されている。また、本体部５４は、その外周を構成する天板５４Ａ、底板５４Ｂ及び左右一対の側板５４Ｃ、５４Ｄを備えている。左右の側板５４Ｃ、５４Ｄ間には、本体部５４の高さ方向に所定の間隔で仕切り板５４Ｅが架け渡されている。これらの仕切り板５４Ｅにより、本体部５４には、その高さ方向に複数段の引出し収容部５８が形成されている。各引出し収容部５８の入口が、引出し５６を出し入れする際の開口部６０とされている。
【００４０】
各引出し収容部５８には、建物上方側が開放された箱状の引出し５６がそれぞれスライド可能に収容されている。各引出し５６を閉めた状態では、各引出し５６の前板５６Ａの前面５６Ａ１が間仕切り壁３２の横壁３２Ａの前面と面一になるように設定されている（図１参照）。これらの引出し５６の前板５６Ａの前面５６Ａ１が、「特定の室」としての居間１２と第２の収納室としての収納体５２とを区画する区画面６２とされており、引出し５６を引き出すことにより当該区画面６２は開放されるようになっている。
【００４１】
また、図２〜図５に示されるように、各引出し５６の前板５６Ａの前面５６Ａ１における上部には、細長い中実の横板状に形成された単一の取っ手６４が取り付けられている。この取っ手６４は、引出し５６の幅方向を長手方向としかつ本体部５４の高さ方向を板厚方向として配置されている。補足すると、取っ手６４の引出し５６の前板５６Ａの前面５６Ａ１からの突出長さは、例えば７０ｍｍ〜１００ｍｍとされている。つまり、成人男性の足の先端部（つま先）から踏み付け部（足指の付け根部分）の後端部までの平均値よりも長く、梯子６６を昇降する者の足の踏み付け部全体を支持する長さとされている。
【００４２】
すべての引出し５６が閉じられた状態、即ち区画面６２が閉止された状態では、本体部５４の高さ方向に複数の取っ手６４が所定の間隔で配置されている。これにより、区画面６２には、各取っ手６４を踏桟とする梯子６６が設けられている。つまり、取っ手６４は当該区画面６２を開放させるための開放手段としての機能の他に、梯子６６の踏桟としての機能も有している。区画面６２に取っ手６４を踏桟とする梯子６６が設置されたことにより、図６に示されるように、居住者や来客者は梯子６６を昇降することで、居間１２とロフト４６とを行き来することができる。
【００４３】
なお、細長い横板状に形成された単一の取っ手６４に替えて、金属製のアングル状の取っ手を引出し５６の前板５６Ａの前面５６Ａ１に取り付けてもよい。すなわち、アングル状の取っ手を構成する一方の面を引出し５６の前板５６Ａにボルト締結し、引出し５６の前板５６Ａに対し垂直方向に延出される他方の面を踏桟として使う構成にしてもよい。
【００４４】
[ロック機構]
図３〜図５に示されるように、上述した複数段の各引出し５６の左右の側板５６Ｂ側には、「ロック手段」としてのロック機構６８がそれぞれ設けられている。収納体５２の正面視で右側の側板５６Ｂに対して設定されたロック機構６８と左側の側板に対して設定されたロック機構とは同一の構成とされているため、以下の説明では、引出し５６の右側の側板５６Ｂに対して設定されたロック機構６８についてのみ説明し、左側の側板に対して設定されたロック機構についてはその説明を省略する。
【００４５】
ロック機構６８は、引出し５６の右側の側板５６Ｂの外側面に一体又は一体的に設けられた長尺状の摺動部材７０と、本体部５４の右側の側板５４Ｄの内側面に一体又は一体的に設けられた「ガイド部材」としての長尺状のガイドレール７２と、によって構成されている。
【００４６】
摺動部材７０は、断面形状が矩形状とされた中実の細長い角材として構成されており、引出し５６の右側の側板５６Ｂの外側面に接着剤等の固定手段によって人の体重がかかっても外れないように強固に取り付けられている。従って、引出し５６が出し入れ方向に移動すると、摺動部材７０も引出し５６と一体に移動するようになっている。また、摺動部材７０は、矩形断面の短辺が引出し５６の右側の側板５６Ｂの外側面に密着するように向きが決められている。なお、本実施形態では、摺動部材７０の断面形状を矩形としたが、これに限らず、方形等でもよい。
【００４７】
一方、ガイドレール７２は、摺動部材７０の上面側に配置された長尺状のアッパレール７４と、摺動部材７０の下面側に配置された長尺状のロアレール７６と、によって構成されている。アッパレール７４は、断面形状が方形状とされた中実の細長い角材として構成されており、摺動部材７０の上面に沿うように配置されている。
【００４８】
ロアレール７６は、断面形状が矩形状とされた中実の細長い角材として構成されており、摺動部材７０の下面に沿うように配置されている。ロアレール７６の建物上下方向の寸法は、アッパレール７４の建物上下方向の寸法よりも大きく設定されている。また、ロアレール７６の前端部の上縁側には、摺動部材７０の下面側から切り欠かれた「被係合部」としての切欠部７８が形成されている。この切欠部７８は、引出し５６の側面視で直角三角形状に形成されており、垂直面７８Ａと傾斜面７８Ｂを備えている。垂直面７８Ａは切欠部７８の前端に配置されており、傾斜面７８Ｂは引出し５６の引出し方向に対して下り勾配となる向きで配置されている。
【００４９】
上述したアッパレール７４の下面とロアレール７６の上面との間隔寸法は、摺動部材７０の板厚よりも若干大きく設定されている。図３に示されるように、引出し５６の閉止状態では、摺動部材７０の前端部７０Ａが切欠部７８の真上に位置するように摺動部材７０とアッパレール７４及びロアレール７６との前後位置関係が設定されている。また、引出し５６の閉止状態では、引出し５６の自重により、摺動部材７０の下面がロアレール７６の上面に面接触状態で当接されている。
【００５０】
（作用及び効果）
次に、本実施形態の作用及び効果について説明する。
【００５１】
本実施形態に係る収納構造によれば、居間１２における室高さ方向上方側かつ側方には、居間１２と空間的に連続したロフト４６が設けられる。また、ロフト４６の直下には、居間１２と区画された収納体５２が設けられる。このように居間１２と収納体５２の両方を備えているので、充分な収納空間が確保される。
【００５２】
また、この収納体５２における居間１２との区画面６２には、複数段の踏桟（取っ手６４）を含んで構成された梯子６６が設けられているため、区画面６２に梯子６６を掛けたのと同様の機能が付与される。このため、図６に示されるように、この梯子６６を昇降することにより、居住者等は居間１２とロフト４６とを行き来することができる。このように本実施形態に係る収納構造は、区画面６２に梯子６６を設ける構成であるため、階段を設置する先行技術と比べて、昇降手段の設置スペースが削減される。
【００５３】
なお、上記梯子６６の踏桟（取っ手６４）は区画面６２の開閉手段を兼ねるため、収納体５２の区画面６２を開閉させる際には、踏桟を開閉手段として開閉させればよい。
【００５４】
上記より、本実施形態に係る収納構造は、狭小な空間であっても効率的に収納空間及び昇降手段を確保することができる。
【００５５】
また、本実施形態では、区画面６２が閉止された状態において、梯子６６の踏桟（取っ手６４）に鉛直下方側への荷重が作用すると、後述するようにロック機構６８によって踏桟を取っ手６４とした区画面６２の開放が禁止される。このため、梯子６６を使って昇降する際に収納体５２の区画面６２（即ち、引出し５６）が予期せずして開放されるといった事態は生じない。その結果、本実施形態によれば、梯子６６を使って居間１２及びロフト４６間を安全に昇降することができる。
【００５６】
さらに、本実施形態では、第２の収納室は、複数の引出し５６とこれらを収容する本体部５４とを含む収納体５２として構成されており、各引出し５６の前面５６Ａ１には取っ手６４が設けられている。図３は引出し５６が閉められた状態であるが、この状態では取っ手６４に鉛直下方への荷重は作用していないので、摺動部材７０の前端部７０Ａは切欠部７８内には進入していない。従って、ロック機構６８はアンロック状態にあり、図４に示されるように、引出し５６を矢印Ｘ方向又はその反対方向へ出し入れすることができる。このとき、引出し５６の左右の側板５６Ｂに一体に設けられた摺動部材７０が、本体部５４内に設けられたアッパレール７４とロアレール７６との間の軌道上を摺動するため、引出し５６の移動が円滑に行われる。
【００５７】
一方、図６に示されるように、居住者がロフト４６に移動すべく取っ手６４に手と足をかけて梯子６６を昇ると、図５に示されるように、取っ手６４には鉛直下方への荷重Ｆが作用する。このため、引出し５６の全体が、引出し収容部５８内で僅かに鉛直下方へ傾斜する。この傾斜は、一般に引出し５６は引出し収容部５８内に上下左右に多少の隙間を有して収容されていることから、その隙間の範囲内で引出し５６は回転変位できることから、取っ手６４に鉛直下方への荷重Ｆが作用すると、引出し５６の全体が僅かに傾くことで生じる。引出し５６の全体が、引出し収容部５８内で僅かに鉛直下方へ傾斜すると、それに伴って摺動部材７０が鉛直下方へ傾斜する。これにより、摺動部材７０の前端部７０Ａが切欠部７８内へ進入し、引出し５６を引き出そうとしても、摺動部材７０の前端部７０Ａが切欠部７８の垂直面７８Ａに当接し（係合し）、引出し５６を引き出すことができない状態になる。すなわち、引出し５６の引出し方向への移動が阻止される。
【００５８】
その結果、本実施形態によれば、収納体５２を衣類などを畳んで収納する整理箪笥として利用することができると共に、梯子６６の昇降時の安全性を担保することができる。
【００５９】
＜第２実施形態＞
次に、図７（Ａ）〜図７（Ｃ）及び図８を用いて、本発明に係る収納構造の第２実施形態について説明する。なお、前述した第１実施形態と同一構成部分については、同一の番号を付してその説明を省略する。
【００６０】
図７（Ａ）に示されるように、本実施形態に係る収納構造は、第１実施形態で説明した収納体５２に替えて、収納体５２の設置スペースに「第２の収納室」としてのフラップ収納扉型の収納ラック（収納棚）８０が設置されている点に特徴がある。
【００６１】
収納ラック８０は、第１実施形態で説明した収納体５２で用いた本体部５４と同様構造とされた本体部８２と、この本体部８２が備える複数の収納スペース８４の開口部８６（図７（Ｂ）参照）を各々開閉する「扉部材」としての複数のフラップ扉８８と、によって構成されている。
【００６２】
本体部８２は、全体としては前面が開放され後面が閉止された箱体状に形成されており、内部には建物上下方向に複数の仕切り板９０が配設されている。これにより、本体部８２には、居室高さ方向に複数の収納スペース８４が形成されている。一方、フラップ扉８８は、矩形平板状に形成されており、収納スペース８４の区画面６２側の開口部８６を開閉するようになっている。図８に示されるように、フラップ扉８８の上端部の両側部には左右一対の支持ピン９２が互いに離間する方向へ突出されている。これらの支持ピン９２は、本体部８２の両側板８２Ａの内側面に形成された直線状の凹溝であるガイド溝９４に収容されている。これにより、フラップ扉８８は、図７（Ａ）に示される閉止状態から支持ピン９２回りに回動可能とされると共に、図７（Ｂ）に示されるように、フラップ扉８８を水平位置まで回動させた後に、図７（Ｃ）に示されるように、収納スペース８４の奥側（矢印Ｙ方向側）へスライド可能とされている。フラップ扉８８の閉止状態では、その前面が区画面６２として機能する。
【００６３】
図８に示されるように、上述したフラップ扉８８の下端部及び本体部８２の仕切り板の前端部には、「ロック手段」としてのロック機構９６が設けられている。フラップ扉８８の下端部の手前側には、垂直面９８Ａと水平面９８Ｂとで構成された段差９８が形成されている。この段差９８が形成されたことにより、フラップ扉８８の下端部の奥側には係合部１００が形成されている。また、フラップ扉８８の下端部の前面には、段差９８の上方側に前述した第１実施形態と同様の取っ手１０２が突出した状態で設けられている。つまり、この取っ手１０２は、梯子６６の踏桟を構成している。
【００６４】
上述したフラップ扉８８の下端部の直下には、本体部８２の仕切り板の前端部が配置されている。仕切り板の前端部は、縦断面視で鉤状（横向きのＬ字状）に形成されており、被係合部１０４とされている。被係合部１０４は段差９８の直下に配置されており、フラップ扉８８の閉止状態では、係合部１００と被係合部１０４は建物上下方向にラップしていないか僅かにラップするように係合部１００と被係合部１０４の突出長さが設定されている。
【００６５】
（作用及び効果）
本実施形態に係る収納構造によれば、フラップ収納扉型の収納ラック８０は、外郭を構成すると共に室高さ方向に複数の収納スペース８４を備え、区画面６２側に当該収納スペース８４の開口部８６が配置された本体部８２と、複数の収納スペース８４の開口部８６に対応して開閉可能に設けられ、区画面６２の一部を構成するフラップ扉８８とを含んで構成される。フラップ扉８８の前面には、梯子６６の踏桟を構成する取っ手１０２が突出した状態で設けられており、本体部８２に収納された物を取り出す際には、取っ手１０２を掴んでフラップ扉８８を開放（支持ピン９２回りに回動）させればよい。
【００６６】
一方、居間１２とロフト４６とを行き来する際には、フラップ扉８８を閉止状態にしてから、フラップ扉８８の前面に設けられた取っ手１０２を使って昇降すればよい。このとき、本実施形態では、取っ手１０２に鉛直下方側への荷重が作用することにより、その重みがフラップ扉８８に作用し、フラップ扉８８を僅かに鉛直下方側へ変位させる。これに伴い、被係合部１０４が係合部１００に相対的に変位して係合される。これにより、フラップ扉８８の開放方向への移動が阻止される。
【００６７】
その結果、本実施形態に係る収納構造によれば、第２の収納室を帽子やシューズなどをそのまま入れて収納する収納ラック８０として利用することができると共に、梯子６６の昇降時の安全性を担保することができる。
【００６８】
＜第３実施形態＞
次に、図９（Ａ）、（Ｂ）を用いて、本発明に係る収納構造の第３実施形態について説明する。なお、前述した第１実施形態等と同一構成部分については、同一の番号を付してその説明を省略する。
【００６９】
図９（Ａ）、（Ｂ）に示されるように、本実施形態に係る収納構造は、第１実施形態で説明した収納体５２に替えて、収納体５２の設置スペースに「第２の収納室」としての（ウォークイン）クローゼット１１０が設置されている点に特徴がある。
【００７０】
クローゼット１１０は、外郭を構成すると共に区画面６２側に収納スペース１１２の開口部１１４が配置された本体部１１６と、区画面６２を構成すると共に本体部１１６の開口部１１４を開閉する折れ戸１１８と、を含んで構成されている。
【００７１】
折れ戸１１８は、各々矩形平板状に形成された一対の戸板１２０、１２２が二つ折れに折れることでの開口部１１４が開閉されるようになっている。ここで、折れ戸１１８の前面には、居室高さ方向に複数段の取っ手１２４が当該前面から突出した状態で配設されている。各取っ手１２４は、厚手の帯状の矩形平板を用いて構成されている。
【００７２】
「拘束部材」としての最上段に配置された取っ手１２４Ａは、一対の戸板１２０、１２２に跨って一枚板（一部材）で構成されているが、それ以外の取っ手１２４Ｂは、その長手方向の中間部で分断されて戸板１２０、１２２ごとに左右に分かれて取り付けられている。最上段に配置された取っ手１２４Ａは取り外し可能とされており、通常は図９（Ａ）に示されるように、一方の戸板１２０の長辺側の縁部に沿って居室高さ方向を長手方向として保持されている。複数の取っ手１２４を踏桟とする梯子６６として使用する場合は、図９（Ｂ）に示されるように、一対の戸板１２０、１２２に架け渡されて戸板１２０、１２２の短辺側の縁部に沿って水平に保持されている。
【００７３】
より具体的には、最上段の取っ手１２４Ａの長手方向の両端部の一側面側には、当該一側面から図示しない一対の係合突起が突出されている。これに対応して、一方の戸板１２０の長辺側の縁部には、当該取っ手１２４Ａを縦置き配置したときに一対の係合突起と対応する位置に係合突起が係合される窪み状の第１被係合部（図示省略）と第２被係合部１２６（図９（Ｂ）参照）がそれぞれ形成されている。さらに、他方の戸板１２２の上側の短辺側の縁部には、当該取っ手１２４Ａを横置き配置したときに第１被係合部に一方の係合突起を挿入して係合させたときに、他方の係合突起と対応する位置に、当該係合突起が係合される窪み状の第３被係合部１２８（図９（Ａ）参照）が形成されている。これにより、最上段の取っ手１２４Ａを縦置きにも横置きにも保持することができる。なお、最上段の取っ手１２４Ａ及び第３被係合部１２８が本発明における「ロック手段」に相当する。
【００７４】
（作用及び効果）
本実施形態に係る収納構造によれば、クローゼット１１０は、外郭を構成すると共に区画面６２側に開口部１１４が配置された本体部１１６と、区画面６２を構成すると共に本体部１１６の開口部１１４を開閉する折れ戸１１８とを含んで構成される。折れ戸１１８の前面には、梯子６６の踏桟を構成する取っ手１２４が突出した状態で設けられており、本体部１１６に収納された物を取り出す際には、取っ手１２４を掴んで折れ戸１１８を一方向に引いて開放させればよい。このときには最上段の取っ手１２４Ａは、一対の戸板１２０、１２２に架け渡されていないので、折れ戸１１８の開閉を禁止することはなく、折れ戸１１８の開閉動作は円滑に行われる。
【００７５】
一方、居間１２とロフト４６とを行き来する際には、折れ戸１１８を閉止状態にしてから、更に最上段の取っ手１２４Ａの長手方向の両端部の図示しない係合突起を第１被係合部と第３被係合部１２８とに挿入して係合させる。これにより、最上段の取っ手１２４Ａが一対の戸板１２０、１２２の前面に閂状に架け渡されて装着される。その結果、折れ戸１１８の開放動作が禁止される。この状態にしてから折れ戸１１８の前面に設けられた取っ手１２４を使って昇降すればよい。このとき、取っ手１２４には鉛直下方側への荷重が作用するが、最上段の取っ手１２４Ａが閂状に折れ戸１１８の隣合う前面に架け渡されているので、取っ手１２４に加わる重みで折れ戸１１８が予期せずして開放されるといった事態は生じない。
【００７６】
その結果、本実施形態に係る収納構造は、第２の収納室をクローゼット１１０として利用することができると共に、梯子６６の昇降時の安全性を担保することができる。
【００７７】
＜第４実施形態＞
次に、図１０（Ａ）、（Ｂ）及び図１１を用いて、本発明に係る収納構造の第４実施形態について説明する。なお、前述した第１実施形態等と同一構成部分については、同一の番号を付してその説明を省略する。
【００７８】
図１０（Ａ）、（Ｂ）に示されるように、本実施形態に係る収納構造は、第１実施形態で説明した収納体５２に替えて、収納体５２の設置スペースに「第２の収納室」としての開き戸収納型の収納ラック（収納棚）１３０が設置されている点に特徴がある。
【００７９】
これらの図から分かるように、この収納ラック１３０は、第２実施形態で説明した収納ラック８０と扉の形式が異なるのみで、その他の構造は同一とされている。また、左右一対の扉１３２、１３４には取っ手１３６がそれぞれ取り付けられているが、これらの取っ手１３６は、前述した第３実施形態で説明した最上段以外の取っ手１２４Ｂと同様に左右二分割構造とされている。さらに、各扉１３２、１３４の下端部には、第２実施形態で説明したロック機構９６が採用されている。
【００８０】
（作用及び効果）
本実施形態に係る収納構造によれば、第２の収納室は、外郭を構成すると共に区画面６２側に居室高さ方向に複数の開口部８６が配置された本体部８２と、複数の開口部８６に対応して開閉可能に設けられ、区画面６２の一部を構成する左右一対の扉１３２、１３４とを含んで構成される。左右一対の扉１３２、１３４の前面には、梯子６６の踏桟を構成する取っ手１３６が突出した状態で設けられており、本体部８２に収納された物を取り出す際には、取っ手１３６を掴んで左右一対の扉１３２、１３４を開放させればよい。
【００８１】
一方、居間１２とロフト４６とを行き来する際には、左右一対の扉１３２、１３４を閉止状態にしてから、左右一対の扉１３２、１３４の前面に設けられた取っ手１３６を使って昇降すればよい。このとき、本実施形態では、取っ手１３６に鉛直下方側への荷重Ｆが作用することにより、その重みが左右一対の扉１３２、１３４に作用し、扉１３２、１３４を僅かに鉛直下方側へ変位させる。これに伴い、被係合部１０４が係合部１００に相対的に変位して係合される。これにより、左右一対の扉１３２、１３４の開放方向への移動が阻止される。
【００８２】
その結果、本実施形態によれば、前述した第２実施形態と同様に、第２の収納室を帽子やシューズなどをそのまま入れて収納する収納ラック１３０として利用することができると共に、梯子６６の昇降時の安全性を担保することができる。
【００８３】
＜本実施形態の補足説明＞
なお、第１実施形態、第２実施形態及び第４実施形態においては、完成品としての収納体５２、収納ラック８０、クローゼット１１０、収納ラック１３０を第２の収納室に設置しているが、これに限らず、作り付けとしてもよい。
【００８４】
また、本実施形態では、集合住宅の１戸に本発明に係る収納構造を適用しているが、これに限定されず、例えばロフト４６を備えた戸建て住宅に適用してもよい。
【００８５】
さらに、本実施形態では、特定の室として居室の一例である居間１２を挙げ、当該居間１２における室高さ方向上方側かつ側方側に第１の収納室としてのロフト４６を設ける構成を採ったが、これに限らず、種々の室を特定の室として採用し得る。例えば、廊下等の室高さ方向上方側かつ側方側に第１の収納室を設けてもよい。
【符号の説明】
【００８６】
１２    居間（特定の室）
４６    ロフト（第１の収納室）
５２    収納体（第２の収納室）
５４    本体部
５６    引出し
５６Ａ１  前面
５８    引出し収容部（収納スペース）
６０    開口部
６２    区画面
６４    取っ手
６６    梯子
６８    ロック機構（ロック手段）
７０    摺動部材
７２    ガイドレール（ガイド部材）
７８    切欠部（被係合部）
８０    収納ラック（第２の収納室）
８２    本体部
８４    収納スペース
８６    開口部
８８    フラップ扉（扉部材）
９６    ロック機構（ロック手段）
１００  係合部
１０２  取っ手
１０４  被係合部
１１０  クローゼット（第２の収納室）
１１２  収納スペース
１１４  開口部
１１６  本体部
１１８  折れ戸
１２４  取っ手
１２４Ａ  最上段の取っ手（拘束部材、ロック手段）
１２８  第３被係合部（ロック手段）
１３０  収納ラック（第２の収納室）
１３２  扉（扉部材）
１３４  扉（扉部材）
１３６  取っ手
【図１】
2020112007.tif 000003
【図２】
2020112007.tif 000004
【図３】
2020112007.tif 000005
【図４】
2020112007.tif 000006
【図５】
2020112007.tif 000007
【図６】
2020112007.tif 000008
【図７】
2020112007.tif 000009
【図８】
2020112007.tif 000010
【図９】
2020112007.tif 000011
【図１０】
2020112007.tif 000012
【図１１】
2020112007.tif 000013